(57)【要約】【課題】管理データが検出できない場合にも良好に情報データの記録再生を行う。【解決手段】本発明によれば、同一の記録領域に対して１回のみデータの書き込みが可能な記録媒体に対して情報データを記録再生する記録再生手段と、前記記録再生手段により再生した前記情報データに基づいて前記記録開始位置を決定し、前記決定した前記記録媒体上の記録開始位置より新たに前記情報データを記録するよう前記記録再生手段を制御する制御手段とを備える構成とした。【選択図】      図２
2004259138.tif 000002
【特許請求の範囲】
【請求項１】
記録媒体に対して情報データを記録再生する記録再生手段と、
前記記録媒体上の前記情報データの記録状態に関する管理データが前記記録媒体に記録されているか否かを検出する管理データ検出手段と、
前記記録媒体に前記管理データが記録されていた場合には前記記録再生手段により前記記録媒体より再生した管理データに基づいて記録開始位置を決定すると共に、前記管理データが記録されていない場合には前記記録再生手段により再生した前記情報データに基づいて前記記録開始位置を決定し、前記決定した前記記録媒体上の記録開始位置より新たに前記情報データを記録するよう前記記録再生手段を制御する制御手段とを備える記録再生装置。
【請求項２】
前記制御手段は、前記管理データが記録されていない場合に、前記再生手段により再生した情報データの記録状態に基づいて前記管理データを生成し、前記生成した管理データを前記記録媒体に記録するよう前記記録再生手段を制御することを特徴とする請求項１記載の記録再生装置。
【請求項３】
前記制御手段は、前記記録媒体の記録残量が所定量よりも少なくなったことに応じて前記管理データを生成し、前記記録媒体に記録することを特徴とする請求項２記載の記録再生装置。
【請求項４】
前記制御手段は、前記管理データの記録指示に応じて前記管理データを生成し、前記記録媒体に記録することを特徴とする請求項２記載の記録再生装置。
【請求項５】
前記記録再生手段は、前記管理データを前記記録媒体上の第１の所定領域に記録し、前記情報データを前記記録媒体上の第２の所定領域に記録することを特徴とする請求項２記載の記録再生装置。
【請求項６】
前記管理データは前記記録媒体上の前記情報データの記録位置を示す情報であることを特徴とする請求項１記載の記録再生装置。
【請求項７】
前記管理データは前記情報データを格納するフォルダの構成を示す情報であることを特徴とする請求項１記載の記録再生装置。
【請求項８】
同一の記録領域に対して１回のみデータの書き込みが可能な記録媒体に対して情報データを記録再生する記録再生手段と、
前記記録再生手段により再生した情報データに基づいて、前記情報データの記録状態に関する管理データを生成する管理データ生成手段と、
前記記録媒体の記録残量に基づいて前記記録再生手段により前記管理データを前記記録媒体に記録するか否かを制御する制御手段とを備える記録再生装置。
【請求項９】
同一の記録領域に対して１回のみデータの書き込みが可能な記録媒体に対して情報データを記録再生する記録再生手段と、
前記記録再生手段により再生した情報データに基づいて、前記情報データの記録状態に関する管理データを生成する管理データ生成手段と、
前記記録媒体に対する前記情報データの記録に伴う前記管理データの記録を禁止し、前記記録媒体の記録残量が所定量より少なくなった場合に前記管理データを前記記録媒体に記録するよう前記記録再生手段を制御する制御手段とを備える記録再生装置。
【請求項１０】
同一の記録領域に対して１回のみデータの書き込みが可能な記録媒体に対して情報データを記録再生する記録再生手段と、
前記記録再生手段により再生した情報データに基づいて、前記情報データの記録状態に関する管理データを生成する管理データ生成手段と、
前記記録媒体に対する前記情報データの記録に伴う前記管理データの記録を禁止し、前記記録媒体に対する前記管理データの記録指示があった場合に前記管理データを前記記録媒体に記録するよう前記記録再生手段を制御する制御手段とを備える記録再生装置。
【請求項１１】
同一の記録領域に対して１回のみデータの書き込みが可能な記録媒体に対して情報データを記録再生する記録再生手段と、
前記記録再生手段により再生した前記情報データに基づいて前記記録開始位置を決定し、前記決定した前記記録媒体上の記録開始位置より新たに前記情報データを記録するよう前記記録再生手段を制御する制御手段とを備える記録再生装置。
【請求項１２】
前記管理データは、ＦＡＴ、ＩＳＯ９６６０及びＵＤＦのうちの何れかのファイルフォーマットに従うデータであることを特徴とする請求項１〜１１記載の記録再生装置。
【発明の詳細な説明】
【０００１】
【発明の属する技術分野】
本発明は記録再生装置に関し、特に、情報データに関連した管理データの処理に関する。
【０００２】
【従来の技術】
従来、ディスク媒体やメモリカードなどランダムアクセス媒体に対して画像データなどの情報データを記録再生する装置が知られている。
【０００３】
この種の装置では、情報データに加え、記録媒体上での情報データの記録位置などを示す管理情報も記録しており、この管理情報に基づいて記録媒体上での記録開始位置や、再生すべき情報データなどを決定している。
【０００４】
【発明が解決しようとする課題】
撮影した画像データをデジタルデータとしてメモリカードに記録再生するデジタルカメラが知られている。この際に用いるメモリカードとして、一般に繰り返しデータの書き換えが可能なメモリカードが使用される。
【０００５】
これに対し、近年、１回のみデータを書き込み可能とする代わりに、価格を抑えたメモリカードが考えられている。
【０００６】
この様なデータの書き込み回数が制限されたメモリカードを用いた場合、通常のメモリカードと同様に画像データの記録に伴い管理情報を書き換えることができない。
【０００７】
そのため、記録開始位置や、再生すべき情報データを決定できなくなる虞があった。
【０００８】
本発明はこの様な問題を解決し、管理データが検出できない場合にも良好に情報データの記録再生を行うことが可能な記録再生装置を提供することを目的とする。
【０００９】
【課題を解決するための手段】
前記課題を解決するため、本発明においては、記録媒体に対して情報データを記録再生する記録再生手段と、前記記録媒体上の前記情報データの記録状態に関する管理データが前記記録媒体に記録されているか否かを検出する管理データ検出手段と、前記記録媒体に前記管理データが記録されていた場合には前記記録再生手段により前記記録媒体より再生した管理データに基づいて記録開始位置を決定すると共に、前記管理データが記録されていない場合には前記記録再生手段により再生した前記情報データに基づいて前記記録開始位置を決定し、前記決定した前記記録媒体上の記録開始位置より新たに前記情報データを記録するよう前記記録再生手段を制御する制御手段とを備える構成とした。
【００１０】
【発明の実施の形態】
図１は本発明が適用される記録再生装置１００の構成を示す図である。本形態の記録再生装置１００は、メモリカードＭに対して動画像データを記録再生する。本形態では、メモリカードＭとして、繰り返しデータの書き込みが可能な通常のメモリカードと、同一の記録領域に対して１回のみデータの書き込みが可能な追記型メモリカードとを用いることができる。
【００１１】
まず、記録時の処理について説明する。
【００１２】
図２は記録時における制御部１１３による処理を示すフローチャートである。
【００１３】
メモリカードＭが装置１００に装着された時、あるいは電源が投入された時に図２のフローがスタートする。
【００１４】
まず、制御部１１３は記録再生部１０４を制御して、装着されたメモリカードＭから属性データを再生し、再生処理部１０５介して媒体識別部１０５に出力する。
【００１５】
媒体識別部１０５は記録再生部１０４から供給された属性データに基づき、装着されたメモリカードが通常のメモリカードと追記型のメモリカードのうちの何れであるかを識別し、制御部１１３に出力する（ステップＳ２０１）。
【００１６】
そして、追記型メモリカードであった場合、制御部１１３は記録再生部１０４を制御し、メモリカードＭ上の管理情報の記録領域のデータを読み出して再生処理部１０５に出力する（ステップＳ２０２）。再生処理部１０５はこの管理情報の記録領域から再生されたデータを管理情報検出部１０７に出力する。管理情報検出部１０７は供給されたデータからメモリカードに管理情報が記録されているか否かを検出し、その結果を制御部１１３に出力する（ステップＳ２０３）。
【００１７】
制御部１１３は、管理情報が検出されなければファイルシステム管理部１０８を動作しないように制御し、データ検索部１０９が動作するように制御する。そして、制御部１１３は記録再生部１０４に対し、メモリカードＭにおける画像データの記録領域の先頭アドレスからデータを再生するよう制御する（ステップＳ２０４）。
【００１８】
図３に追記型メモリカード上のデータの様子を示す。
【００１９】
具体的には、図３（ａ）に示す画像データ領域の先頭アドレスｂ０からデータを再生するよう指示する。
【００２０】
記録再生部１０４は制御部１１３からの再生指示に従い、アドレスｂ０からデータを読み出し、再生処理部１０５に出力する。再生処理部１０５は再生されたデータをデータ検索部１０９に出力する。
【００２１】
データ検索部１０９はアドレスｂ０から再生されたデータを画像データかどうか解析し（ステップＳ２０５）、図３（ａ）に示す画像データ０である場合にはそのファイルサイズも解析し、画像データ０の末尾の次のアドレスｂ１を検出して制御部１１３に出力する（ステップＳ２１４）。
【００２２】
次に、制御部１１３は記録再生部１０４に対し、メモリカードＭのアドレスｂ１からのデータの読み出しを指示する。記録再生部１０４はアドレスｂ１からデータを読み出し、再生処理部１０５に出力する。再生処理部１０５はアドレスｂ１から再生されたデータをデータ検索部１０９に出力する。
【００２３】
データ検索部１０９はアドレスｂ１から読み出されたデータが画像データかどうかを解析し、画像データでないと判別したら、次に画像データの記録を開始するアドレスとしてｂ１を制御部１１３に出力する（ステップＳ２０６）。
【００２４】
この様に、追記型メモリカードにおける記録開始アドレスを決定した状態で、操作部１１２からの記録開始の指示を待つ（ステップＳ２０７）。
【００２５】
記録開始の指示があると、画像データの記録を開始する。
【００２６】
即ち、撮像部１０１により得られたデジタル動画像データは符号化部１０２において、ＪＰＥＧやＭＰＥＧなど、周知の符号化方式に従って符号化され、記録処理部１０３に出力される。記録処理部１０３は符号化された動画像データに対してヘッダや同期、ＩＤデータなど各種のデータを付加して動画ファイルを生成し、記録再生部１０４に出力する。
【００２７】
記録再生部１０４は、制御部１１３からの指示に従いメモリカードＭに対して動画像ファイルを記録する。制御部１１３はデータ検索部１０９により決定されたアドレスｂ１から画像データの記録を開始するよう記録再生部１０４を制御する（ステップＳ２０８）。このときに記録される画像データ１の様子を図３（ｂ）に示す。
【００２８】
記録開始後、メモリカードＭの記録容量が無くなったか否かを判別し（ステップＳ２０９）、まだ記録容量がある場合、記録停止の指示を待つ（ステップＳ２１０）。
【００２９】
この状態で操作部１１２より記録停止の指示があると、制御部１１３は画像データ１の最終記録位置の次のアドレスである、図３（ｂ）のｂ２を次に画像データを記録する際の記録開始アドレスとして記憶する（ステップＳ２１１）。
【００３０】
次に、メモリカードＭの記録残量が所定値よりも少なくなったか否かを判別する（ステップＳ２１２）。残量が所定値、例えば、数秒分よりも多い場合、電源がオフになったか否かを判別する（ステップＳ２１３）。電源オフの指示があると記録処理を終了し、電源オフでない場合にはステップＳ２０７に戻り、同様に、図３（ｃ）に示すように画像データ２、画像データ３・・・を順に記録する。
【００３１】
また、ステップＳ２１２において、例えば、図３（ｄ）の様に、メモリカードＭに対して順次画像データを記録した結果、残量が少なくなると、メモリカード上の管理情報領域に対し、管理情報を記録する（ステップＳ２１５）。
【００３２】
即ち、ステップＳ２１５の管理情報記録処理においては、まず、前述の様にデータ検索部１０９によりメモリカードＭに記録されている各画像データの記録アドレスｂ０、ｂ１、・・・、ｂｍやデータサイズ等の情報を取得し、管理情報生成部１１４に送る。
【００３３】
管理情報生成部１１４はデータ検索部１０９から供給される各種のデータに従ってメモリカードＭに記録されている各画像データに対するファイル名を生成し、更に、撮影順に一定の数ごと、或いは撮影日ごとにフォルダに分別し、前述の記録アドレスやデータサイズ情報を付加して管理情報生成し、記録処理部１０３に供給する。
【００３４】
記録処理部１０３はこの管理情報をファイル形式に変換し、記録再生部１０４に出力する。記録再生部１０４は制御部１１３からの指示に従い、図３（ｅ）に示すようにメモリカードＭ上の管理情報記録領域に管理情報ファイルを記録する。
【００３５】
また、ステップＳ２０９において、記録中にメモリカードＭの残量が無くなった場合、ステップＳ２１４に進み、同様に管理情報をメモリカードに記録する。
【００３６】
ここで、管理情報生成部１１４が生成する管理情報は、例えばＦＡＴ、ＩＳＯ９６６０、ＵＤＦ等のファイルフォーマットを使用する。
【００３７】
この様に、本形態では、追記型メモリカードにおける記録容量が無くなった時点で管理情報を記録している。
【００３８】
また、ステップＳ２０３で、メモリカードＭの管理情報記録領域から再生したデータが管理情報であった場合、ファイルシステム管理部１０８の動作を有効にすると共に、データ検索部１０９の処理を停止する（ステップＳ２１６）。
【００３９】
従って、これ以降の処理においては、メモリカードから再生された管理情報の内容をファイルシステム管理部１０８が検出し、制御部１１３はこのファイルシステム管理部１０８を制御してメモリカードに対する画像データの処理を制御する。
【００４０】
そして、前述の様に、追記型メモリカードに対して管理情報が記録されているということは、これ以上メモリカードＭにおける記録残量がないということなので、不図示の表示部に対して再生のみ可能であり、記録は不可である旨の情報を表示し、処理を終了する。
【００４１】
また、ステップＳ２０１で、装着されたメモリカードが繰り返しデータの書き込みが可能な通常のメモリカードであった場合、従来の如く、通常のメモリカードに対する処理を実行する（ステップＳ２１７）。
【００４２】
次に、再生時の処理について説明する。
【００４３】
図４は再生時における制御部１１３による処理を示すフローチャートである。
【００４４】
操作部１１２により電源が投入され、再生モードに設定されるとフローがスタートする。
【００４５】
まず、制御部１１３は記録再生部１０４を制御して、装着されたメモリカードＭから属性データを再生し、再生処理部１０５介して媒体識別部１０５に出力する。
【００４６】
媒体識別部１０５は記録再生部１０４から供給された属性データに基づき、装着されたメモリカードが通常のメモリカードと追記型のメモリカードのうちの何れであるかを識別し、制御部１１３に出力する（ステップＳ４０１）。
【００４７】
そして、追記型メモリカードであった場合、制御部１１３は記録再生部１０４を制御し、メモリカードＭ上の管理情報の記録領域のデータを読み出して再生処理部１０５に出力する（ステップＳ４０２）。再生処理部１０５はこの管理情報の記録領域から再生されたデータを管理情報検出部１０７に出力する。管理情報検出部１０７は供給されたデータからメモリカードに管理情報が記録されているか否かを検出し、その結果を制御部１１３に出力する（ステップＳ４０３）。
【００４８】
管理情報が記録されていない場合、ファイルシステム管理部１０８の動作を停止し、データ検索部１０９が動作するように制御する。そして、制御部１１３は記録再生部１０４に対し、メモリカードＭにおける画像データの記録領域の先頭アドレスからデータを再生するよう制御する（ステップＳ４０４）。
【００４９】
記録再生部１０４は制御部１１３からの再生指示に従い、画像データ記録領域の先頭アドレス、即ち図３のアドレスｂ０からデータを読み出し、再生処理部１０５に出力する。再生処理部１０５は再生されたデータをデータ検索部１０９に出力する。
【００５０】
データ検索部１０９はアドレスｂ０から再生されたデータを画像データかどうか解析し（ステップＳ４０５）、画像データである場合には画像データ記録領域の先頭アドレス、即ちアドレスｂ０を再生開始アドレスに決定する（ステップＳ４０６）。そのファイルサイズも解析し、画像データ０の末尾の次のアドレスｂ１を検出して制御部１１３に出力する（ステップＳ２１４）。
【００５１】
この状態で操作部１１２による再生開始の指示を待ち（ステップＳ４０７）、再生開始の指示があると、画像データのデータサイズを検出し、再生を開始するよう記録再生部１０４を制御する。記録再生部１０４は指定された再生開始アドレスより画像データの再生を開始し、再生したデータを再生処理部１０５に出力する。再生処理部１０５は再生されたデータから画像データを検出して復号部１１０に出力する。復号部１１０は再生された画像データを復号して出力部１１１に出力する。出力部１１１は復号された画像データを外部モニタなどに適した形式に変換して出力する。
【００５２】
この様に画像データを再生しているときに、再生停止の指示があると（ステップＳ４０９）、制御部１１３は再生停止の指示があった時点での再生アドレスに基づき、次の再生開始時の読み出しアドレスを決定し、記憶する（ステップＳ４１３）。また、再生停止の指示が無く、現在再生中の画像ファイルのデータが終了した場合（ステップＳ４１０）、即ち図３の画像データ０の最終アドレスまで再生を終了した場合、この最終アドレスより次の再生開始アドレスを決定する（ステップＳ４１１）。
【００５３】
例えば、図３（ｂ）の状態で画像データ０を再生した場合、画像データ０の最後のアドレスに引き続いてアドレスｂ１より画像データ１が記録されている為、この場合には次のアドレスｂ１をそのまま次回の再生開始アドレスとすればよい。しかし、図３（ａ）の様に画像データ０だけが記録された状態で画像データを再生しても、次のアドレスからは画像データが記録されていない。そのため、制御部１１３は、ステップＳ４１１においては、例えば画像データ０の再生を終了した後、次のアドレス、即ちｂ１から所定量だけデータを再生し、そのデータが画像データであるか否かをデータ検索部１０９により検出する。そして、画像データであった場合にはアドレスｂ１を再生開始アドレスに決定し、画像データではなかった場合には画像データ記録領域の先頭アドレスを再生開始アドレスとする。
【００５４】
そして、操作部１１２により電源オフの指示があると処理を終了し、指示がない場合にはステップＳ４０７に戻る。
【００５５】
また、ステップＳ４０５で、画像データ記録領域の先頭アドレスから再生したデータが画像データではない場合、画像データが記録されていないと判断し、不図示の表示部により画像データが記録されていない旨の情報を表示する（ステップＳ４１４）。
【００５６】
また、ステップＳ４０３で管理情報が記録されていた場合、ファイルシステム管理部１０８を有効にすると共に、データ検索部１０９の処理を停止し（ステップＳ４１５）、制御部１１３は管理情報検出部１０７により検出された管理情報に従い再生動作を制御する（ステップＳ４１６）。
【００５７】
また、ステップＳ４０１で、メモリカードが通常のカードであった場合、従来の様に通常のメモリカードの処理と同様の処理を行う。
【００５８】
以上説明した様に、本形態においては、装着されたカードが追記型カードであった場合、管理情報が記録されているか否かをチェックし、記録されていなかった場合でも、カード上に実際に記録されている画像データの状態に従って記録開始アドレスを決定している。
【００５９】
そのため、メモリカードに対して画像データを記録する度に管理情報を書き込む必要がなく、管理情報記録領域が限定されている追記型カードにおいて記録する画像ファイル数が増加した場合でも管理情報が記録しきれなくなることもない。
【００６０】
従って、より多くの画像ファイルを記録できる。
【００６１】
また、記録残量が少なくなり、これ以上画像データを記録できなくなった場合に管理情報を記録するため、これ以降、そのカードから画像データを再生する場合には管理情報を使ったより利便性の高い再生処理が可能になる。
【００６２】
更に、再生時においても、記録時と同様に管理情報が記録されているか否かを判別し、記録されていない場合でも、メモリカード上に記録されている画像データの状態に基づいて再生開始位置を決定するため、管理情報が記録されていない場合でも画像データを再生することが可能となる。
【００６３】
なお、本形態では、追記型のメモリカードに対して動画像データを記録再生する装置について説明したが、記録媒体の形式はメモリカードに限らず、ディスク媒体等についても同様に本発明を適用可能となる。
【００６４】
また、前述の実施形態では、追記型メモリカードを使用した場合には、記録残量が少なくなったことに応じて管理情報を生成し、記録していたが、例えば、記録残量がまだ多く残っている場合でも、ユーザから指示があった場合には管理情報を生成して記録するよう構成してもよい。ただし、この場合には、それ以降メモリカードに対する画像データの書き込みができないことになる。
【００６５】
【発明の効果】
以上説明した様に、本発明によれば、データ書き込み回数が制限されている記録媒体であっても、管理データを記録することなく情報データを良好に記録再生することが可能となる。
【図面の簡単な説明】
【図１】本発明が適用される記録再生装置の構成を示す図である。
【図２】実施形態における記録動作を示すフローチャートである。
【図３】メモリカード上の記録データの様子を示す図である。
【図４】実施形態における再生動作を示すフローチャートである。
【図１】
2004259138.tif 000003
【図２】
2004259138.tif 000004
【図３】
2004259138.tif 000005
【図４】
2004259138.tif 000006